(57)【要約】【課題】外出先での編集操作に基づく印刷物作成における、操作者の操作労力負担を軽減する。【解決手段】携帯端末３０は、編集操作が可能な操作部３７と、編集操作の結果に対応した印字データを記憶するメモリ３６と、ＣＰＵ３５と、無線通信制御部４０と、ＧＰＳ衛星ＮＳとの位置関係により決定される携帯端末３０の絶対位置情報を取得するＧＰＳ４１と、を有し、ＣＰＵ３５は、ラベル作成装置１０に対する、印字ラベルＬの作成の予約操作を受け付け、予約操作が受け付けられた後、ＧＰＳ４１により取得される上記絶対位置情報に基づき、携帯端末３０が上記特定の場所から所定距離の範囲内に到達したと判定した場合に、メモリ３６に記憶された印字データを上記ラベル作成装置１０に対し無線通信制御部４０を介して送信する。【選択図】図６
2018055307.tif 000002
【特許請求の範囲】
【請求項１】
特定の場所に配置された印刷装置を操作するための携帯端末であって、かつ、印刷物を作成するための編集操作が可能な操作手段と、前記操作手段を介した前記編集操作の結果に対応した印字データを記憶する記憶手段と、演算手段と、無線通信手段と、基準物との位置関係により決定される前記携帯端末の絶対位置情報を取得する位置情報取得手段と、を有する前記携帯端末の前記演算手段に対し、
前記印刷装置に対する、前記印刷物の作成の予約操作を受け付ける予約受付手順と、
前記予約受付手順で前記予約操作が受け付けられた後、前記位置情報取得手段により取得される前記絶対位置情報に基づき、前記携帯端末が前記特定の場所から所定距離の範囲内に到達したか否かを判定する第１位置判定手順と、
前記第１位置判定手順で前記携帯端末が前記所定距離の範囲内に到達したと判定された場合に、前記記憶手段に記憶された前記印字データを、前記特定の場所に配置された前記印刷装置に対し、前記無線通信手段を介して送信するデータ送信手順と、
を実行させるための、印刷物作成プログラム。
【請求項２】
請求項１記載の印刷物作成プログラムにおいて、
前記第１位置判定手順は、
前記位置情報取得手段が衛星信号の受信に基づき取得した前記絶対位置情報に基づき、前記携帯端末が前記特定の場所から所定距離の範囲内に到達したか否かを判定する
ことを特徴とする印刷物作成プログラム。
【請求項３】
請求項１又は請求項２記載の印刷物作成プログラムにおいて、
前記演算手段に対し、さらに、
前記予約受付手順で前記予約を受け付けたことを契機に、前記位置情報取得手段を起動する第１起動手順と、
前記データ送信手順で前記印字データを前記印刷装置に送信したことを契機に、前記第１起動手順で起動した前記位置情報取得手段を停止させる第１停止手順と、
を実行させ、
前記第１位置判定手順は、
前記第１起動手順で起動した前記位置情報取得手段により取得される前記絶対位置情報に基づき、前記携帯端末が前記所定距離の範囲内に到達したか否かを判定する
ことを特徴とする印刷物作成プログラム。
【請求項４】
請求項３記載の印刷物作成プログラムにおいて、
前記演算手段に対し、さらに、
前記第１位置判定手順で前記携帯端末が前記所定距離の範囲内に到達したと判定されたことを契機に、前記無線通信手段を起動する第２起動手順と、
前記データ送信手順で前記印字データを前記印刷装置に送信したことを契機に、前記第２起動手順で起動した前記無線通信手段を停止させる第２停止手順と、
を実行させ、
前記データ送信手順は、
前記第２起動手順で起動した前記無線通信手段を介し、前記印字データを前記印刷装置に対し送信する
ことを特徴とする印刷物作成プログラム。
【請求項５】
請求項１乃至請求項４のいずれか１項記載の印刷物作成プログラムにおいて、
前記データ送信手順は、
前記予約受付手順で前記予約操作が受け付けられた際に前記記憶手段に記憶されていた前記印字データを、前記印刷装置に対し送信する
ことを特徴とする印刷物作成プログラム。
【請求項６】
請求項１乃至請求項４のいずれか１項記載の印刷物作成プログラムにおいて、
前記演算手段に対し、さらに、
前記予約受付手順で前記予約操作が受け付けられた際に前記位置情報取得手段により取得される前記絶対位置情報に基づき、前記携帯端末が前記特定の場所から前記所定距離の範囲外にあるか否かを判定する第２位置判定手順を実行させ、
前記データ送信手順は、
前記第２位置判定手順で前記携帯端末が前記所定距離の範囲外にあると判定された際に前記記憶手段に記憶されていた前記印字データを前記印刷装置に対し送信する
ことを特徴とする印刷物作成プログラム。
【請求項７】
請求項１乃至請求項６のいずれか１項記載の印刷物作成プログラムにおいて、
前記演算手段に対し、さらに、
前記データ送信手順で前記印字データを前記印刷装置に送信したときに、対応する報知を行う報知手順を実行させる
ことを特徴とする印刷物作成プログラム。
【発明の詳細な説明】
【技術分野】
【０００１】
本発明は、携帯端末により実行される印刷物作成プログラムに関する。
【背景技術】
【０００２】
印刷物を、携帯端末から操作することで作成する技術が既に知られている（例えば、特許文献１参照）。この従来技術では、携帯端末をユーザが操作して単語や文章等の編集操作を行うと、対応する印字データが生成されて印刷装置（印字ラベル作成装置）に送信される。これにより、印刷装置において、搬送される被印字媒体（ラベル用テープ）に対し印字手段（サーマルヘッド）によって上記印字情報に対応した印字が形成され、印刷物（印字ラベル）が作成される。
【先行技術文献】
【特許文献】
【０００３】
【特許文献１】特開２０１３−７７１９５号公報
【発明の概要】
【発明が解決しようとする課題】
【０００４】
上記のようにして操作者の編集操作に対応して印刷物を作成する場合において、例えば、操作者が外出先での隙間時間を活用して編集操作を行っておき、外出から戻った後に印刷装置により印刷物を作成したい、というニーズがあり得る。上記従来技術においては、上記のような場合、外出先での上記編集操作と外出から戻ってからの印刷指示操作との両方が必要となり、操作者の手間（操作労力負担）が増大するという課題があった。
【０００５】
本発明の目的は、外出先での編集操作に基づく印刷物作成における、操作者の操作労力負担を軽減できる印刷物作成プログラムを提供することにある。
【課題を解決するための手段】
【０００６】
上記目的を達成するために、本願発明は、特定の場所に配置された印刷装置を操作するための携帯端末であって、かつ、印刷物を作成するための編集操作が可能な操作手段と、前記操作手段を介した前記編集操作の結果に対応した印字データを記憶する記憶手段と、演算手段と、無線通信手段と、基準物との位置関係により決定される前記携帯端末の絶対位置情報を取得する位置情報取得手段と、を有する前記携帯端末の前記演算手段に対し、前記印刷装置に対する、前記印刷物の作成の予約操作を受け付ける予約受付手順と、前記予約受付手順で前記予約操作が受け付けられた後、前記位置情報取得手段により取得される前記絶対位置情報に基づき、前記携帯端末が前記特定の場所から所定距離の範囲内に到達したか否かを判定する第１位置判定手順と、前記第１位置判定手順で前記携帯端末が前記所定距離の範囲内に到達したと判定された場合に、前記記憶手段に記憶された前記印字データを、前記特定の場所に配置された前記印刷装置に対し、前記無線通信手段を介して送信するデータ送信手順と、を実行させることを特徴とする。
【０００７】
本願発明に係る携帯端末は操作手段を備えており、例えば操作者が外出しているときに、外出先で操作手段を用いて、作成する印刷物の編集操作を実行可能である。また携帯端末は演算手段を備えており、印刷物作成プログラムが（例えば上記外出時に）上記演算手段により実行される。
【０００８】
そして、印刷装置で上記編集結果に対応した印刷物の作成を実行するために、上記外出先で操作者が所定の予約操作（例えば「印刷予約」ボタンや「印刷」ボタンの押下）を行うと、予約受付手順でその予約が受け付けられる。
【０００９】
このとき、携帯端末は、携帯端末の絶対位置情報を取得する位置情報取得手段を備えており、上記予約の受け付け後、操作者が、上記外出先から、上記印刷装置が配置された特定の場所（例えば外出から戻る場所としての自宅や勤務先）の付近まで戻ると、上記取得される絶対位置情報に基づく第１位置判定手順での判定（携帯端末が上記特定の場所から所定距離の範囲内に到達したか否か）が満たされる。これに対応して、その後のデータ送信手順で、記憶手段に記憶されていた、上記編集操作結果に対応した印字データが無線通信により上記印刷装置へと送信され、当該印字データに対応した上記印刷物が作成される。
【００１０】
以上のようにして、操作者が例えば外出先での隙間時間を活用して編集操作を行いその後に予約操作を行うだけで、上記外出先から特定の場所へ戻ったとき、当該特定の場所にある印刷装置が、予約したときの編集内容に対応した印刷物を自動的に作成する。これにより、外出先での編集操作と外出から戻ってからの印刷指示操作との両方が必要となる場合に比べ、操作者の手間を大幅に軽減し、利便性を向上することができる。
【発明の効果】
【００１１】
本発明によれば、外出先での編集操作に基づく印刷物作成における、操作者の操作労力負担を軽減することができる。
【図面の簡単な説明】
【００１２】
【図１】本発明の一実施形態の印刷物作成プログラムを実行する携帯端末を含む、ラベル作成システムの一例を表す概略構成図である。
【図２】携帯端末の電気的構成を表す機能ブロック図である。
【図３】ラベル作成装置の外観を表す斜視図である。
【図４】ラベル作成装置の詳細機能を表す機能ブロック図である。
【図５】携帯端末の外観、及び、作成される印字ラベルの一例を表す説明図である。
【図６】外出先での編集後、外出先から戻って印字ラベルが作成されるまでの本実施形態の流れを表す説明図である。
【図７】携帯端末のＣＰＵが実行する制御手順を表すフローチャートである。
【図８】ラベル作成装置の制御回路が実行する制御手順を表すフローチャートである。
【発明を実施するための形態】
【００１３】
以下、本発明の一実施形態を図面を参照しつつ説明する。
【００１４】
＜システム概略＞
図１に示すように、本実施形態に係る携帯端末３０は、ラベル作成装置１０（印刷装置）とともに、ラベル作成システムＬＳを構成している。ラベル作成装置１０と携帯端末３０とは、ブルートゥース（登録商標）通信やアドホック通信等の適宜の相互認識無線通信により情報送受信可能に接続可能となっている。
【００１５】
携帯端末３０は、例えばＰＤＡ（携帯情報端末）やスマートフォン（ＰＤＡ機能を備えた携帯電話）等の情報端末である。この携帯端末３０は、液晶ディスプレイ等の表示部３８と、例えばキーボードやマウスやボタン等からなる操作部３７（操作手段）と、を有している。携帯端末３０は、上記無線通信を介してラベル作成装置１０にラベル作成指示等の指示信号を送信することにより、印字ラベルの作成等を指示することができる。また、携帯端末３０は、周知のＧＰＳ（Ｇｌｏｂａｌ  Ｐｏｓｉｔｉｏｎｉｎｇ  Ｓｙｓｔｅｍ）機能を備え、複数のＧＰＳ衛星ＮＳからの衛星信号を受信して、携帯端末３０が存在する自己の絶対位置情報を取得することができる。
【００１６】
ラベル作成装置１０は、その側面に、携帯端末３０から送信される通信信号を受信する無線通信制御部２８が設けられている。このラベル作成装置１０は、携帯端末３０から送信されたラベル作成指示等の指示信号を無線通信制御部２８により受信し、指示信号に従った動作が可能である（詳細は後述）。なお、携帯端末３０から通常の無線通信により指示信号を送信し、ラベル作成装置１０に設けたアンテナにより、当該信号を受信するようにしてもよい。
【００１７】
＜携帯端末の電気的構成＞
携帯端末３０の電気的構成を、図２を用いて説明する。図２において、携帯端末３０は、携帯端末本体３１と、ラベル作成装置１０に対し上記無線通信を行うためのアンテナ３３と、上記複数のＧＰＳ衛星ＮＳからの衛星信号を受信するための衛星アンテナ３４とを備えている。
【００１８】
携帯端末本体３１は、ＣＰＵ３５（演算手段）と、ラベル作成処理プログラム（後述の図７に示す手順を実行する印刷物作成プログラム）が記憶されているＲＯＭやＲＡＭ等からなるメモリ３６（記憶手段）と、ユーザ（操作者）により操作入力がなされる上記操作部３７と、各種情報やメッセージを表示する上記表示部３８と、ユーザに携帯端末３０の振動や注意音の発生で注意喚起等の報知を行う報知部３９（但し注意喚起の表示を行う場合は表示部３８と兼用でも良い）と、上記アンテナ３３を介してラベル作成装置１０と上記無線通信を行う無線通信制御部４０（無線通信手段）と、ＧＰＳ４１（位置情報取得手段）と、を備えている。ＧＰＳ４１は、上記衛星アンテナ３４を介して上記複数のＧＰＳ衛星ＮＳ（基準物）からの衛星信号を受信し、受信された衛星信号からＧＰＳ衛星ＮＳと携帯端末３０との位置関係により、携帯端末３０の絶対位置情報を決定し取得する。
【００１９】
＜ラベル作成装置＞
ラベル作成装置１０の構成を図３及び図４を用いて説明する。図３において、ラベル作成装置１０は、本体筐体２と、本体筐体２の上側を覆うように後側上端縁部に開閉自在に取り付けられた上カバー５とを備えている。上カバー５の前側のフロントカバー６には、印字が形成されたラベル用テープ２０Ａ（図４参照）を外部に排出する排出口６Ａが形成されている。
【００２０】
本体筐体２には、図４に示すように、所定幅の上記ラベル用テープ２０Ａ（被印字媒体）がロール状に巻回されたラベル用テープロール２０が収納されている。ラベル用テープ２０Ａは、例えば、自己発色性を有する長尺状の感熱シート（いわゆるサーマルペーパー）と、該感熱シートの片面に粘着剤を介して貼り合わされた離型紙とから構成される。ラベル用テープロール２０は、例えばカートリッジ化されたものであり、本体筐体２には、このカートリッジを着脱自在なカートリッジホルダ（図示せず）が設けられている。なお、上記のようなカートリッジ方式ではなく、ラベル用テープロール２０を直接本体筐体２の内部に収納し、ラベル用テープロール２０を本体筐体２の内部で回転させながら、ラベル用テープ２０Ａを繰り出すようにしてもよい。
【００２１】
ラベル用テープ２０Ａは、プラテンローラ２６によりラベル用テープロール２０から繰り出され搬送される。プラテンローラ２６は、プラテンローラ用モータ２０８によって駆動され、これによってラベル用テープ２０Ａがラベル用テープロール２０から繰り出されるとともに搬送される。プラテンローラ用モータ２０８の制御は、プラテンローラ駆動回路２０９によって行われる。搬送されるラベル用テープ２０Ａは、サーマルヘッド２５とプラテンローラ２６との間を通って上記排出口６Ａへと導かれる。なお、センサ２２は、上記ラベル用テープ２０Ａに適宜の識別用マークが設けられている場合に、当該マークを検出する。
【００２２】
サーマルヘッド２５は、ラベル用テープ２０Ａの搬送方向と直交する方向に、複数個の発熱素子を備えている。サーマルヘッド２５の発熱素子が設けられた面と対向する側に、上記プラテンローラ２６は配置されている。発熱素子には、印字すべきドットパターンデータに従って通電がなされ、これによって、サーマルヘッド２５とプラテンローラ２６との間を通過するラベル用テープ２０Ａの印字領域Ｓに所望のテキスト文字等が印字される。サーマルヘッド２５に設けられた各発熱素子の駆動（通電制御）は、印刷駆動回路２０５によって行われる。
【００２３】
排出口６Ａの内側には、可動刃２１Ａと固定刃２１Ｂとを備えたカッターユニット２１が配置されている。サーマルヘッド２５により印字が行われたラベル用テープ２０Ａは、切断用モータやソレノイド等のアクチュエータ（図示せず）により所定のタイミングで可動刃２１Ａが往復移動することで、テープ搬送方向と直交する幅方向に切断され、所定長さの印字ラベルＬ（印刷物）となって排出口６Ａから排出される。なお、このようなアクチュエータの駆動力による自動切断動作ではなく、ユーザが可動刃２１Ａを手動で往復移動させて切断する、手動切断としてもよい。あるいは、搬送されるラベル用テープ２０Ａが所定の切断位置に到達したことを液晶ディスプレイ（ＬＣＤ）２７等に表示し、その表示を見たユーザが所定の切断ボタン（いずれかのキー４Ａ〜４Ｉでもよい）を操作することで上記アクチュエータにより可動刃２１Ａが移動し、切断を行うようにしてもよい。
【００２４】
排出口６Ａの上側の前面部には、図３に示すように、上記液晶ディスプレイ（ＬＣＤ）２７と、キー入力部４とが配置されている。液晶ディスプレイ２７は、後述する制御回路２１０の制御により、各印刷設定画面等を表示する。キー入力部４は、複数（この例では９個）のキー４Ａ，４Ｂ，４Ｃ，４Ｄ，４Ｅ，４Ｆ，４Ｇ，４Ｈ，４Ｉを備えている。
【００２５】
フロントカバー６の下側縁部には、フロントカバー６の前側を覆うようにトレー部材９が開閉自在に取り付けられている。トレー部材９は、上端部に形成された凹み部９Ａにユーザが指を掛け前側に回動させることにより開く。なお、図示していないが、本体筐体２の背面部には図示しない電源コードが接続されるインレットと、複数のＵＳＢ（Ｕｎｉｖｅｒｓａｌ  Ｓｅｒｉａｌ  Ｂｕｓ）コネクタとが設けられている。また本体筐体２の側面には、前述したように、携帯端末３０から無線通信を介して送信される通信信号を受信する上記無線通信制御部２８が設けられている。
【００２６】
図４に戻り、制御回路２１０は、いわゆるマイクロコンピュータである。この制御回路２１０は、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って処理を行う。そして、制御回路２１０は、プラテンローラ駆動回路２０９及び印刷駆動回路２０５等を介し、ラベル作成装置１０全体の動作を制御する。制御回路２１０には、上記液晶ディスプレイ２７と、上記キー入力部４と、上記無線通信制御部２８とが接続されている。
【００２７】
制御回路２１０のＲＯＭには、印刷される文字や記号等の印字ドットデータ（ドットパターン）が記憶されている。制御回路２１０は、上記無線通信制御部２８を介し受信される携帯端末３０からの印刷指示に従い、ＲＯＭに記憶された印字ドットデータを用いて、印字ラベルＬの印字領域Ｓに所望の印字を行うための印字データを生成する。そして、生成された印字データに従って、上記プラテンローラ駆動回路２０９を介して上記プラテンローラ２６によりラベル用テープ２０Ａを繰り出しつつ、上記印刷駆動回路２０５を介し上記サーマルヘッド２５による印刷を行わせ、印字ラベルＬを作成する。なお、制御回路２１０は、上記電源コードに接続された電源回路２１１Ａに接続されている。
【００２８】
＜本実施形態の特徴＞
上記において、本実施形態においては、ラベル作成装置１０は、例えば操作者の自宅や実家や勤務先等の特定の場所（外出先から戻る場所）に配置されている。そして、携帯端末３０はこの特定の場所に設置されたラベル作成装置１０に対し、自動的に接続可能（例えば事前にペアリングされ登録済みである）である。本実施形態の特徴は、ユーザが外出先で携帯端末３０を用いてラベル編集した後に外出先から戻ると（ＧＰＳ４１により検出）、外出先での編集結果に対応した印字ラベルがラベル作成装置１０で自動的に作成される点にある。以下、その詳細を図５及び図６により説明する。
【００２９】
＜携帯端末でのラベル編集＞
図６（ａ）に示すように、例えばユーザはまず、上記自宅等から出かけた外出先において携帯端末３０の上記操作部３７を操作することで、印字ラベルＬに印字Ｒとして形成したい所望のテキスト文字等（図５（ｂ）の例ではテキスト文字「ＡＢＣ−ｄｅｆｇ」）を入力する、編集操作を行う。すなわち、例えばユーザが操作部３７の電源ボタンをオンして携帯端末３０を立ち上げると、図５（ａ）に示すように、上記表示部３８に、テキスト文字等の入力を行うためのテキスト編集画面４２が表示される。この状態で、ユーザは、操作部３７の各種入力キーを用いて、ラベルに印字したい所望のテキスト文字の入力を行う。この例では、上記の例に沿い、文字「ＡＢＣ−ｄｅｆｇ」が入力されている。
【００３０】
このような編集操作の後、ユーザが、操作部３７を用いた適宜の印刷予約操作（この例では印刷ボタン３７ａの押下）を行うことで、上記編集内容（上記の例では文字「ＡＢＣ−ｄｅｆｇ」）に対応する印字データが携帯端末３０のメモリ３６に記憶される（図６（ａ）参照）。
【００３１】
その後、図６（ｂ）に示すように、ユーザが外出先から上記自宅に戻り、そのことが（上記ＧＰＳ衛星ＮＳからの衛星信号に基づき）携帯端末３０の上記ＧＰＳ４１で検出されると、上記印刷予約時にメモリ３６に記憶された印字データが読み出されるとともに、その印字データが携帯端末３０から上記ラベル作成装置１０へと送信される。
【００３２】
この結果、図６（ｃ）に示すように、ラベル作成装置１０において、上記外出先での編集結果に対応した文字「ＡＢＣ−ｄｅｆｇ」の印字Ｒが形成された、印字ラベルＬが自動的に作成される（図５（ｂ）も参照）。
【００３３】
＜携帯端末の制御手順＞
上記手法を実行するために、携帯端末３０のＣＰＵ３５が実行する制御手順を図７に示す。
【００３４】
まず、ステップＳ５で、ＣＰＵ３５は、ユーザが上記操作部３７を介して実行するラベル編集操作を受け付ける。その後、ステップＳ１０に移る。
【００３５】
ステップＳ１０では、ＣＰＵ３５は、ユーザにより印字ラベル作成のための所定の予約操作があったか否かを判定する。ユーザが操作部３７により上記予約操作（この例では前述したように印刷ボタン３７ａの押下）を行った場合はステップＳ１０の判定が満たされ（Ｓ１０：ＹＥＳ）、ステップＳ１５に移る。予約操作が行われない場合はステップＳ１０の判定が満たされず（Ｓ１０：ＮＯ）、上記ステップ５に戻って同様の手順を繰り返す。なお、このステップＳ１０が各請求項記載の予約受付手順に相当する。
【００３６】
ステップＳ１５では、ＣＰＵ３５は、上記ＧＰＳ４１に制御信号を出力し、ＧＰＳ４１を起動させる。これにより、ＧＰＳ４１は、前述したように複数のＧＰＳ衛星ＮＳからの衛星信号に基づき、携帯端末３０の絶対位置情報の取得を開始する（後述のステップＳ６５でのＧＰＳ停止まで継続）。その後、ステップＳ２０に移る。なお、このステップＳ１５が各請求項記載の第１起動手順に相当する。
【００３７】
ステップＳ２０では、ＣＰＵ３５は、上記ステップＳ１５で起動したＧＰＳ４１が出力する現在の携帯端末３０の絶対位置情報の（ＧＰＳ４１からの）取得を開始する（この取得は後述のステップＳ６５でのＧＰＳ停止まで継続する）。その後、ステップＳ２５に移る。
【００３８】
ステップＳ２５では、ＣＰＵ３５は、ユーザが外出先にいる状態であるか否かを判定する。具体的には、ＣＰＵ３５は、ＧＰＳ４１により取得される絶対位置情報に基づき、携帯端末３０が自宅から所定距離（例えば数百メートル〜３キロ）の範囲の外にあるか否かを判定する。携帯端末３０が上記所定距離の範囲内にあればステップＳ２５の判定が満たされず（Ｓ２５：ＮＯ）、後述のステップＳ４０へ移る。携帯端末３０が上記所定距離の範囲外にあればステップＳ２５の判定が満たされ（Ｓ２５：ＹＥＳ）、ステップＳ３０に移る。なお、このステップＳ３０が各請求項記載の第２位置判定手順に相当する。
【００３９】
ステップＳ３０では、ＣＰＵ３５は、上記ステップＳ５でのラベル編集結果に対応する印字データを、メモリ３６に記憶させる。その後、ステップＳ３５に移る。
【００４０】
ステップＳ３５では、ＣＰＵ３５は、ユーザが外出先から戻ったか否かを判定する。具体的には、ＣＰＵ３５は、ＧＰＳ４１により取得される絶対位置情報に基づき、携帯端末３０が上記所定距離の範囲内に到達したか否かを判定する。上記携帯端末３０が上記所定距離の範囲内に到達してなければステップＳ３５の判定が満たされず（Ｓ３５：ＮＯ）、ステップＳ３５の判定が満たされるまでループ待機する。携帯端末３０が上記所定距離の範囲内に到達していればステップＳ３５の判定が満たされ（Ｓ３５：ＹＥＳ）、ステップＳ４０に移る。なお、このステップＳ３５が各請求項記載の第１位置判定手順に相当する。
【００４１】
ステップＳ４０では、ＣＰＵ３５は、無線通信制御部４０に制御信号を出力し、起動させる（無線通信動作を開始させる）。その後、ステップＳ４５に移る。なお、このステップＳ４０が各請求項記載の第２起動手順に相当する。
【００４２】
ステップＳ４５では、ＣＰＵ３５は、上記ステップＳ４０で起動した無線通信制御部４０を介して例えばネットワーク検索を行い、自宅に印刷可能なプリンタがあるか否かを判定する。具体的には、この例では、ＣＰＵ３５は、例えば前述のようにして登録済みの上記ラベル作成装置１０が、電源がＯＮされかつ携帯端末３０と情報送受信可能な状態となっているか否か、を判定する。印刷可能なプリンタがなければステップＳ４５の判定が満たされず（Ｓ４５：ＮＯ）、ステップＳ５０に移る。
【００４３】
ステップＳ５０では、ＣＰＵ３５は、表示部３８に制御信号を出力し、表示部３８に対し、印刷可能なプリンタがなく印刷できないために印刷が失敗した旨の表示を行わせる。その後、このフローを終了する。
【００４４】
一方、上記ステップＳ４５において印刷可能なプリンタがあればステップＳ４５の判定が満たされ（Ｓ４５：ＹＥＳ）、ステップＳ５５に移る。ステップＳ５５では、ＣＰＵ３５は、上記ステップＳ３０で記憶した印字データをメモリ３６から読み出すとともに、読み出した印字データを、上記ステップＳ４０で起動済みの無線通信制御部４０を介してラベル作成装置１０に送信する。これにより、ラベル作成装置１０において、上記印字データに対応した印字ラベルＬが作成される（後述の図８のステップＳ１１０〜ステップＳ１７０参照）。その後、ステップＳ５７に移る。なお、このステップＳ５５が各請求項記載のデータ送信手順に相当する。
【００４５】
ステップＳ５７では、ＣＰＵ３５は、上記報知部３９に制御信号を出力することで振動や注意音を発生させて、ユーザに印刷予約をしていることを報知させる（なお、上記表示部３８に同様の報知目的の表示を行わせても良い）。その後、ステップＳ６０に移る。なお、このステップＳ５７が各請求項記載の報知手順に相当する。
【００４６】
ステップＳ６０では、ＣＰＵ３５は、無線通信制御部４０に制御信号を出力し、（上記ステップＳ３０で起動後、継続していた）無線通信動作を停止させる。その後、ステップＳ６５に移る。なお、このステップＳ６０が各請求項記載の第２停止手順に相当する。
【００４７】
ステップＳ６５では、ＣＰＵ３５は、上記ＧＰＳ４１に制御信号を出力し、（上記ステップＳ１５で起動後、継続していた）ＧＰＳ４１の動作を停止させる。その後、ステップＳ７０に移る。なお、このステップＳ６５が各請求項記載の第１停止手順に相当する。
【００４８】
ステップＳ７０では、ＣＰＵ３５は、表示部３８に制御信号を出力し、表示部３８に対し、印刷が完了した旨の表示を行わせる。その後、このフローを終了する。
【００４９】
＜ラベル作成装置の制御手順＞
上記図７に示した携帯端末３のＣＰＵ３５の処理に対応してラベル作成装置１０の上記制御回路２１０が実行する制御手順を、図８に示す。
【００５０】
まず、ステップＳ１１０において、制御回路２１０は、上記図７のステップＳ５５において携帯端末３０から送信された上記印字データを、上記無線通信制御部２８を介して受信し、読み込む。その後、ステップＳ１２０に移る。
【００５１】
ステップＳ１２０では、制御回路２１０は、プラテンローラ駆動回路２０９に制御信号を出力し、プラテンローラ用モータ２０８の駆動を開始する。これにより、プラテンローラ２６の回転が開始されて、前述のように、ラベル用テープロール２０からラベル用テープ２０Ａが繰り出され搬送される。その後、ステップＳ１３０に移る。
【００５２】
ステップＳ１３０では、制御回路２１０は、ラベル用テープ２０Ａの搬送方向位置が所定の印刷開始位置に達すると、印刷駆動回路２０５に制御信号を出力する。これにより、サーマルヘッド２５の発熱素子が通電制御され、ラベル用テープ２０Ａに対し、印字データに対応した印字Ｒ（前述の例では文字「ＡＢＣ−ｄｅｆｇ」）が形成される。その後、ステップＳ１４０に移る。
【００５３】
ステップＳ１４０では、制御回路２１０は、ラベル用テープ２０Ａの搬送方向位置が所定の印刷終了位置に達し、印字が完了したか否かを公知の手法で判定する。印刷終了位置に達していない場合はステップＳ１４０の判定が満たされず（Ｓ１４０：ＮＯ）、ステップＳ１４０をループ待機する。印刷終了位置に達したらステップＳ１４０の判定が満たされ（Ｓ１４０：ＹＥＳ）、ステップＳ１５０に移る。
【００５４】
ステップＳ１５０では、制御回路２１０は、印字済みのラベル用テープ２０Ａの搬送方向位置が所定のテープ切断位置まで到達したか否かを公知の手法で判定する。テープ切断位置に到達するまではステップＳ１５０の判定が満たされず（Ｓ１５０：ＮＯ）、ステップＳ１５０をループ待機する。テープ切断位置に到達したらステップＳ１５０の判定が満たされ（Ｓ１５０：ＹＥＳ）、ステップＳ１６０に移る。
【００５５】
ステップＳ１６０では、制御回路２１０は、プラテンローラ駆動回路２０９に制御信号を出力し、プラテンローラ用モータ２０８の駆動を停止する。これにより、プラテンローラ２６の回転が停止し、印字済みのラベル用テープ２０Ａの搬送が停止する。ステップＳ１６０が終了すると、ステップＳ１７０に移る。
【００５６】
ステップＳ１７０では、制御回路２１０は、カッターユニット２１の図示しないアクチュエータに制御信号を出力し、可動刃２１Ａを固定刃２１Ｂに対し駆動して、印字済みのラベル用テープ２０Ａを切断する。この結果、上述のように、印字Ｒ（「ＡＢＣ−ｄｅｆｇ」）が形成された印字ラベルＬが作成される。その後、このフローを終了する。
【００５７】
＜実施形態の効果＞
以上説明したように、本実施形態においては、ユーザが、外出先で印字ラベルＬの編集操作を行い、所定の予約操作（上記の例では印刷ボタン３７ａの押下）を行うことで、対応する印字データがメモリ３６に記憶される。その後、ユーザが、上記外出先から上記自宅等に戻る（そのことはＧＰＳ４１からの絶対位置情報により判定される。上記ステップＳ３５参照）と、上記メモリ３６に記憶された印字データがラベル作成装置１０へと送信され、対応する上記印字ラベルＬが作成される。
【００５８】
以上の結果、ユーザが例えば外出先での隙間時間を活用して編集操作を行いその後に予約操作を行うだけで、上記外出先から戻ったときにラベル作成装置１０が（上記編集操作に対応した）印字ラベルＬを自動的に作成することができる。これにより、外出先での編集操作と外出から戻ってからの印刷指示操作との両方が必要となる場合に比べ、ユーザの手間を大幅に軽減し、利便性を向上することができる。
【００５９】
また、本実施形態では特に、ＧＰＳ４１が衛星信号の受信に基づき取得した上記絶対位置情報に基づき、携帯端末３０が上記特定の場所から所定距離の範囲内に到達したか否かが判定される（ステップＳ３５参照）。このように、ＧＰＳ４１により取得された精密な絶対位置情報を用いることで、外出先から戻ったか否かを確実に精度良く判定することができる。
【００６０】
また、本実施形態では特に、上記印刷予約を受け付けたことを契機にＧＰＳ４１が起動され（ステップＳ１５参照）、また印字データをラベル作成装置１０に送信したことを契機に、上記起動したＧＰＳ４１が停止する（ステップＳ６５参照）。このように、予約を受け付けるまではＧＰＳ４１を起動せずオフ状態にしておくことにより、ＧＰＳ４１による消費電力を節約し、携帯端末３０のバッテリ消費を抑制することができる。
【００６１】
また、本実施形態では特に、携帯端末３０が上記所定距離の範囲内に到達したと判定されたことを契機に無線通信制御部４０が起動され（ステップＳ４０参照）、印字データがラベル作成装置１０に送信したことを契機に、上記起動した無線通信制御部４０が停止する（ステップＳ６０参照）。このように、予約が受け付けられＧＰＳ４１が起動した後、携帯端末３０が特定の場所近くに到達した状態（上記ステップＳ３５の判定が満たされた状態）となるまでは無線通信制御部４０を起動せずオフ状態にしておくことにより、無線通信制御部４０による消費電力を節約し、携帯端末３０のバッテリ消費を抑制することができる。
【００６２】
また、本実施形態では特に、印刷ボタン３７ａの押下により予約操作が受け付けられた際にＧＰＳ４１により取得される上記絶対位置情報に基づき、携帯端末３０が上記所定距離の範囲外にあるか否かが判定され（ステップＳ２５参照）、携帯端末３０が上記所定距離の範囲外にあると判定された際にメモリ３６に記憶されていた印字データ（＝外出先であると判定されたときの印字データ）が、携帯端末３０が上記所定距離の範囲内にあると判定された際にラベル作成装置１０に対し送信される（ステップＳ３０、ステップＳ５５参照）。これにより、外出先で作成したものではない印字データにより誤って印字ラベルＬが作成されるのを確実に防止することができる。
【００６３】
また、本実施形態では特に、印字データがラベル作成装置１０に送信されたときに、対応する報知が行われる（ステップＳ５７参照）。これにより、ユーザが印刷予約したのを失念していた場合でも、自宅に戻ってきたときに思い出させ、印刷が開始されているのを知らせることができる。
【００６４】
なお、上記実施形態は、その趣旨と技術思想の範囲を逸脱しない範囲で種々の変形が可能である。以下、そのような変形例を説明する。
【００６５】
（１）印刷予約ボタンを設ける場合
上記実施形態では、予約操作として印刷ボタン３７ａが押下され、その押下がなされた際に外出先であると判定された場合の印字データがメモリ３６に記憶され（ステップＳ２５→ステップＳ３０）、その記憶されたデータがラベル作成装置１０に送信されたが、これに限られない。
【００６６】
すなわち、携帯端末３０の操作部３７に、例えば図示しない印刷予約ボタンを設け、この押下によって予約操作を行うようにしても良い。この場合は、印刷予約ボタンの押下により予約操作がなされた際に対応する印字データがメモリ３６に記憶され、外出先から戻ったときにその記憶されていた印字データ（つまり印刷予約ボタンが押されたときのデータ）が、ラベル作成装置１０に送信され、印字ラベルＬが作成される。
【００６７】
本変形例においては、上記のようにして予約操作時の編集内容に対応した印字データがラベル作成装置１０に送信されることにより、外出先で作成したものではない印字データにより誤って印字ラベルＬが作成されるのを確実に防止することができる。
【００６８】
（２）その他
以上においては、位置情報取得手段としての上記ＧＰＳが、複数のＧＰＳ衛星ＮＳからの衛星信号の受信結果に応じ携帯端末３０の上記絶対位置情報を取得したが、これに限られない。すなわち、予め絶対位置が既知となっている適宜の構造物（コンクリートの壁面）や電波通信の基地局を基準物としてそれらとの相対位置関係を検出し、その検出結果に基づき携帯端末３０の上記絶対位置情報を取得するようにしても良い。
【００６９】
なお、以上において、図２、図４の各図中に示す矢印は信号の流れの一例を示すものであり、信号の流れ方向を限定するものではない。
【００７０】
また、図７、図８に示すフローチャートは本発明を上記フローに示す手順に限定するものではなく、発明の趣旨及び技術的思想を逸脱しない範囲内で手順の追加・削除又は順番の変更等をしてもよい。
【００７１】
また、以上既に述べた以外にも、上記実施形態や変形例による手法を適宜組み合わせて利用しても良い。
【００７２】
その他、一々例示はしないが、本発明は、その趣旨を逸脱しない範囲内において、種々の変更が加えられて実施されるものである。
【符号の説明】
【００７３】
１０              ラベル作成装置（印刷装置）
３０              携帯端末
３５              ＣＰＵ（演算手段）
３６              メモリ（記憶手段）
３７              操作部（操作手段）
３７ａ            印刷ボタン
３９              操作部（操作手段）
４０              無線通信制御部（無線通信手段）
４１              ＧＰＳ（位置情報取得手段）
Ｌ                印字ラベル（印刷物）
ＮＳ              ＧＰＳ衛星（基準物）
【図１】
2018055307.tif 000003
【図２】
2018055307.tif 000004
【図３】
2018055307.tif 000005
【図４】
2018055307.tif 000006
【図５】
2018055307.tif 000007
【図６】
2018055307.tif 000008
【図７】
2018055307.tif 000009
【図８】
2018055307.tif 000010